(57)【要約】【課題】静電気の除去及び電磁波ノイズの抑制を強化するとともに、組み立て作業を容易に行える電子機器を提供する。【解決手段】デジタルカメラは、カメラボディとなる前カバー４及び後カバー５と、電子回路基板６によって構成されている。電子回路基板６には、導電性の形状記憶合金からなる螺旋状に形成された伸縮部材１９の一端が固着されている。電源がＯＮされると電子回路基板６上の素子から熱が発生する。伸縮部材１９は熱を吸収し、形状記憶合金の有する変態温度に達すると、伸縮部材１９は変態し、その他端が後カバー５の裏面に圧接する。このようにして電子回路基板６は伸縮部材１９からカメラボディを介して、デジタルカメラの電源マイナス端子に接続され、アースされる。【選択図】        図３
2004219648.tif 000002
【特許請求の範囲】
【請求項１】
アースされた電子機器本体の内部に電子回路基板が組み込まれた電子機器において、
前記電子回路基板に導電性の形状記憶合金からなる伸縮部材の一端を固着し、前記形状記憶合金の変態温度に達すると、他端が前記電子機器本体の裏面に接触することを特徴とする電子機器。
【請求項２】
前記伸縮部材を螺旋形状に形成し、変態温度に達した時に、前記他端が電子機器本体の裏面に圧着されることを特徴とする請求項１記載の電子機器。
【発明の詳細な説明】
【０００１】
【発明の属する技術分野】
本発明は、電子機器に関し、さらに詳しくは静電気の蓄積を防止する電子機器に関する。
【０００２】
【従来の技術】
電子機器の内部には様々な回路部品が存在している。例えばデジタルカメラの場合、デジタルカメラ内部には、電子回路基板が組み込まれており、特定の周波数で弱いながらも電磁波を出力するものもある。ところが、この電磁波がデジタルカメラの外部に伝播した場合、他の電子機器等においてノイズとして認識される恐れがある。これと反対に、他の電子機器等において発生した電磁波が、デジタルカメラ内部に伝播して、ノイズとして認識される恐れもある。
【０００３】
一方、デジタルカメラの外部には、様々な静電気源が存在し、そこから発生した静電気がデジタルカメラに伝わると、基板上のＬＳＩを損傷させたり、誤動作を生じさせたりする恐れがある。
【０００４】
このような現象を防ぐためにデジタルカメラではアース対策が行われている。例えば、カメラボディと電子回路基板との間にガスケットを介在させることによって接地を行っているデジタルカメラが知られている。前カバー及び後カバーとからなるカメラボディと、電子回路基板とを備えたデジタルカメラの場合、電子回路基板と後カバーとの間に、弾性を有するガスケットを介在させ、前カバーと後カバーとを螺子止めすることによって、前カバーと後カバーとでガスケットを挟圧し、電子回路基板と後カバーとを確実に密着させ接地を行っている（特許文献１参照。）。
【０００５】
【特許文献１】
特開２００１−５１３２９号公報
【０００６】
【発明が解決しようとする課題】
しかしながら、前述したように、接地させるために、カメラボディと電子回路基板との間にガスケットを介在させ、前カバーと後カバーによってガスケットを押しつぶすような構造にすることで、前カバーと後カバーとを螺子止めによって組み立てる場合、ガスケットの弾性力により、前カバーと後カバーとの螺子止めに負荷がかかってしまい組み立てにくくなるという問題が発生してしまう。
【０００７】
本発明は、上記問題点を考慮してなされたもので、静電気及び電磁波ノイズ対策を強化するとともに、容易に組み立て作業を行うことのできる電子機器を提供することを目的とする。
【０００８】
【課題を解決するための手段】
上記目的を達成するために、本発明の電子機器は、アースされた電子機器本体の内部に電子回路基板が組み込まれたものであり、前記電子回路基板に導電性の形状記憶合金からなる伸縮部材の一端を固着し、前記形状記憶合金の変態温度に達すると、他端が前記電子機器本体の裏面に接触することを特徴とする。また、前記伸縮部材を螺旋形状に形成し、前記変態温度に達した時に、前記他端を電子機器本体の裏面に圧着するようにしたものである。
【０００９】
【発明の実施の形態】
以下、本発明の実施の形態を図面を参照して説明する。図１及び図２に示すように、電子機器であるデジタルカメラ２は、電子機器本体であるカメラボディ３と電子回路基板６とからなり、カメラボディ３は、前カバー４と後カバー５とから構成されている。後カバー５には、接眼側ファインダ窓７、モード選択ボタン８、シャッタボタン９、ビューファインダとして機能する画像表示用ＬＣＤ１０等が設けられている。左右両側面には、螺子１１が挿入される螺子穴５ａが形成されている。
【００１０】
図２に示すように、前カバー４の前面には、レンズ鏡筒（不図示）を露呈させるための開口１５が形成されている。前カバー４内壁の上部及び下部には電子回路基板６を取り付けて固定するためのフレーム１６が設けられている。このフレーム１６には、電子回路基板６を、螺子１７によって螺子止めするための雌螺子１６ａが形成されている。前カバー４の左右両縁には、後カバー５を取り付けるための取り付け部１８が設けられており、雌螺子１８ａが形成されている。
【００１１】
なお、フレーム１６の形状は、図１においては理解しやすいように単純化しているが、実際は部品の形状に合わせ、より複雑な形状となっている。また、電子回路基板６はフレーム１６に螺子止めによって接続されているが、導電性の両面粘着テープなどによって電子回路基板６とフレーム１６とを固着しても良い。
【００１２】
図示しないが、電子回路基板６には半導体、コンデンサ、抵抗等が実装され、プリントパターンで接続して増幅したり、モード選択ボタン８やシャッタボタン９等からの操作によって入力された信号の処理などを行う電子回路が形成されており、さらには撮像素子駆動回路などの素子が実装されている。その他にも電子回路基板６には、様々な部品がケーブルを介して接続されている。
【００１３】
このような電子回路が組み込まれた電子回路基板６の裏面には、螺旋状に形成された導電性の形状記憶合金からなる伸縮部材１９の一端が、半田付けにより固着されている。この伸縮部材１９は、電子回路基板６から発生する熱を受け、所定の変態温度に達すると予め設定された長さにまで伸びるように製造されている。ここで用いられる形状記憶合金はニッケルとチタンの合金であり、ニッケルとチタンの混合比率を変えることで変態温度を自由に設定することができる。
【００１４】
以上のように構成された本発明のカメラの作用について図２乃至図４を用いて説明する。デジタルカメラ２を組み立てる場合、まず、前カバー４内壁の上部及び下部にそれぞれ設けられたフレーム１６に、伸縮部材１９が取り付けられた電子回路基板６を、螺子１７によって螺子止めすることによって固定する。不図示であるが、その他の電子回路基板も、前カバー４及び後カバー５に設けられたフレームなどに取り付けられる。このように、内部機構を構成する部品、及び外部に露呈する部品が前カバー４及び後カバー５に組み込まれた後、前カバー４と後カバー５とを螺子１１によって螺子止めすることで、図１に示すようなデジタルカメラ２が完成する。なお、前カバー４と後カバー５とからなるカメラボディ３は、デジタルカメラ２の電源マイナス端子に接続され、アースされている。
【００１５】
このようにして組み立てられたデジタルカメラ２の要部断面図が図３であり、この時はまだ電源がＯＦＦの状態にある。デジタルカメラ２の電源をＯＮにすると電子回路基板６に実装された電子回路が駆動する。やがてデジタルカメラ２に内蔵されているモーターの回転や部品の振動などの力学的現象に伴う摩擦や、デジタルカメラ２内部及び外部の様々な電磁気現象によって引き起こされる静電気が電子回路基板６上に蓄積し、撮像素子駆動回路などからは電磁波ノイズが発生する。
【００１６】
電子回路基板６は、前カバー４に設けられているフレーム１６に取り付けられているので、フレーム１６からカメラボディ３を介してデジタルカメラ２の電源マイナス端子に接続され、アースされる。しかし、それだけではデジタルカメラ２内で時間の経過とともに激しく発生していく静電気や電磁波ノイズを効率良く吸収することはできない。そこで、本発明のデジタルカメラ２では、静電気及び電磁波ノイズの吸収効果をさらに高めるために、電子回路基板６の裏面に導電性の形状記憶合金からなる伸縮部材１９が取り付けられている。
【００１７】
電源がＯＮされると、やがて電子回路基板６上の各素子から熱が発生する。伸縮部材１９は、電子回路基板６上で発生する熱を吸収し、形状記憶合金の有する変態温度に達すると、図３に示すような状態から図４に示すような予め設定された長さにまで伸びようとする。予め設定された長さとは、伸縮部材１９が変態後に、後カバー５の裏面に圧接可能となるだけの長さである。伸縮部材１９は螺旋状に形成されているため、図４のように伸びると自身の弾性復元力によって後カバー５の裏面に常に付勢する状態となる。このように伸縮部材１９が後カバー５に圧接することで、電子回路基板６と後カバー５は積極的に電気的導通が図られる。
【００１８】
電子回路基板６は、伸縮部材１９を介して後カバー５に接続されるので、伸縮部材１９及び後カバー５を介してデジタルカメラ２の電源マイナス端子に接続され、アースされる。このようにして、電子回路基板６のアースを、前カバー４のフレーム１６からのみ図るのではなく、電子回路基板６の裏面に、導電性の形状記憶合金からなる伸縮部材１９を取り付けることによって、電子回路基板６や電子回路基板６に接続されている部品に蓄積される静電気や電磁波ノイズを、より効率良く除去することが可能となる。
【００１９】
また、従来のデジタルカメラでは、デジタルカメラ内に蓄積する静電気及び電磁波によるノイズを防止するために、前カバーと後カバーとの間に弾性を有するガスケットを介在させていた。組み立ての際、ガスケットを前カバーと後カバーとで挟圧しながら螺子止めを行っていたため、ガスケットの弾性力によって、前カバーと後カバーとの螺子止め作業に大きな負荷がかかってしまい、それが作業効率を減衰させる一因となっていた。しかし、本発明によれば、静電気及び電磁波によるノイズを防止する手段として、導電性の形状記憶合金からなる伸縮部材１９を電子回路基板６の裏面に取り付けたので、前カバー４と後カバー５とを、負荷をかけることなく素早く容易に螺子止めすることができる。
【００２０】
上記実施形態では、伸縮部材１９を螺旋状に形成したが、これに限ることなく、図５に示すように、伸縮部材を導電性の形状記憶合金からなる板バネとして形成しても良い。この場合も上記実施形態と同様にして、図５に示すように、伸縮部材としての板バネ部材２０の一端を電子回路基板６に固着する。電源がＯＮされた後、板バネ部材２０は、電子回路基板６に発生する熱を吸収し、変態温度に達すると、図６に示すように形状が変化し、他端が後カバー５の裏面に接触する。このときの板バネ部材２０が、自身の弾性により後カバー５の裏面に常に付勢するように、予め変態後の長さを考慮して板バネ部材２０を製造することが好ましい。このように伸縮部材を適宜の形状に変更して用いても良い。
【００２１】
また、電子回路基板６に取り付けられる伸縮部材１９の設置箇所、個数及び大きさは、蓄積される静電気量、発生する電磁波ノイズの大きさ、内蔵されている部品の配置及び大きさ、またカメラボディ３の大きさなどに応じて決定すれば良い。
【００２２】
上記実施形態では、形状記憶合金からなる伸縮部材１９が、変態温度に達すると、カメラボディ３を構成している後カバー５に接触する構成になっているが、これに限ることなく、カメラボディ３に固着されたフレームをアース電位にしておき、このフレームに、伸縮部材１９を接触させるようにしても良い。勿論、板バネ部材２０を用いた場合においても同様にして行うことができる。
【００２３】
なお、上記実施形態では、本発明を実施した電子機器としてデジタルカメラを例に挙げて説明してきたが、本発明はこれに限定されるものではなく、例えば、携帯電話、ノート型パソコン、ＰＤＡなどの様々な電子機器に適用することができる。
【００２４】
【発明の効果】
本発明の電子機器によれば、電子回路基板に導電性の形状記憶合金からなる伸縮部材の一端を固着し、形状記憶材の変態温度に達すると、他端が電子機器本体の裏面に接触するようにし、電子回路基板及び電子回路基板に接続されている部品に蓄積される静電気や電磁波ノイズを、伸縮部材を介して電子機器本体からアースさせたので、今まで以上に静電気及び電磁波ノイズの吸収効果を高め、さらに、電子機器本体を構成している前カバーと後カバーとの螺子止めによる組み立て作業を容易に行うことが可能となる。
【図面の簡単な説明】
【図１】本発明を採用したデジタルカメラの外観背面側斜視図である。
【図２】図１に示すデジタルカメラの分解斜視図である。
【図３】変態前の伸縮部材及びその周辺を表す要部断面図である。
【図４】変態後の伸縮部材及びその周辺を表す要部断面図である。
【図５】伸縮部材についての別の実施形態における変態前の状態を表す要部断面図である。
【図６】伸縮部材についての別の実施形態における変態後の状態を表す要部断面図である。
【符号の説明】
６  電子回路基板
１９  伸縮部材
【図１】
2004219648.tif 000003
【図２】
2004219648.tif 000004
【図３】
2004219648.tif 000005
【図４】
2004219648.tif 000006
【図５】
2004219648.tif 000007
【図６】
2004219648.tif 000008